(57)【要約】【課題】複数の録画機器を接続可能なデジタルテレビジョン受信装置において各録画機器が移動機能を備えているかどうかを自動的に管理する。【解決手段】接続端子に接続された複数の録画機器の機能にそれぞれ移動機能があるか否かをチックする機能チック部と、チェックされた結果を保存したテーブル部と、移動が指定されたときに前記テーブルを参照し、第１の録画機器に移動機能があるか否かを判定し、移動機能がない場合には警告手段から警告を出力し、移動機能がある場合には移動実行手段で移動を実行する。【選択図】      図１１
2006311313.tif 000002
【特許請求の範囲】
【請求項１】
動作を統括する制御部と、前記制御部の制御に基づいて、放送信号を受信する受信部と、前記受信部により受信された受信信号を復調及び信号処理することにより表示用信号に変換する復調及び信号処理部とを有し操作入力に応じて前記表示用信号を記録媒体に蓄積する放送受信装置において、
複数の録画機器を接続する接続端子と、
前記複数の録画機器の機能に、移動機能があるか否かをチックする機能チック部と、
前記機能チェック部によりチェックされた結果を保存したテーブル部と、
前記複数の録画機器のうちの第１の録画機器に記録されているコンテンツを選択し、第２の録画機器への移動を指定する移動指定手段と、
前記移動が指定されたときに前記テーブル部の情報を参照し、前記第１の録画機器に移動機能があるか否かを判定し、移動機能がない場合には表示器に警告を出力する警告手段と、を具備したことを特徴とする放送受信装置。
【請求項２】
さらに移動実行手段を有し、前記第１の録画機器に移動機能が有る場合で、かつ、前記第２の録画機器が接続されている場合には、移動を実行するようにしたことを特徴とする請求項１記載の放送受信装置。
【請求項３】
さらにコピー指定制御部を有し、前記コンテンツを前記第２の録画機器の記録媒体にコピーする指定があったとき、前記コンテンツがコピー禁止の制御情報を有するときは、前記警告手段により警告することを特徴とする請求項１記載の放送受信装置。
【請求項４】
前記移動又はコピーが実行されているときには、その動作状況が分かるように、前記表示器に移動又はコピーを示すマークを表示する手段を有することを特徴とする請求項３記載の放送受信装置。
【請求項５】
移動又はコピー元の前記第１の録画機器と、移動又はコピーするコンテンツと、移動又はコピー先の前記第２の録画機器が選択され、移動又はコピーを実行する前に、前記表示器には「移動」と「コピー」の選択項目を表示する手段を有することを特徴とする請求項１記載の放送受信装置。
【請求項６】
動作を統括する制御部を有し、この制御部の制御に基づいて、受信部で放送信号を受信し、復調及び信号処理部で、前記受信部で受信された受信信号を復調及び信号処理し表示用信号に変換し、操作入力に応じて前記表示用信号を記録媒体に蓄積する放送受信方法において、
接続されている複数の録画機器の機能に、移動機能があるか否かをチックし、
チェックされた結果をテーブル部に保存しており、
前記複数の録画機器のうちの第１の録画機器に記録されているコンテンツが選択され、
選択されたコンテンツが第２の録画機器へ移動するように指定されたとき、前記テーブル部の情報を参照し、前記第１の録画機器に移動機能があるか否かを判定し、移動機能がない場合には表示器に警告を出力するようにしたことを特徴とする放送受信方法。
【請求項７】
さらに移動実行手段を有し、前記第１の録画機器に移動機能が有る場合で、かつ、前記第２の録画機器が接続されている場合には、移動を実行するようにしたことを特徴とする請求項６記載の放送受信方法。
【請求項８】
さらにコピー指定制御部を有し、前記コンテンツを前記第２の録画機器の記録媒体にコピーする指定があったとき、前記コンテンツがコピー禁止の制御情報を有するときは、警告手段により警告することを特徴とする請求項６記載の放送受信方法。
【請求項９】
前記移動又はコピーが実行されているときには、その動作状況が分かるように、前記表示器に移動又はコピーを示すマークを表示することを特徴とする請求項８記載の放送受信方法。
【請求項１０】
移動又はコピー元の前記第１の録画機器と、移動又はコピーするコンテンツと、移動又はコピー先の前記第２の録画機器が選択され、移動又はコピーを実行する前に、前記表示器には「移動」と「コピー」の選択項目を表示することを特徴とする請求項６記載の放送受信方法。
【発明の詳細な説明】
【技術分野】
【０００１】
本発明は、放送受信装置及び放送受信方法に関するもので、特に複数の蓄積装置を接続可能な装置において、装置の管理と、蓄積情報の移動（ムーブ）或いはコピーを管理するとともに制御できるようにものである。
【背景技術】
【０００２】
近年、記録媒体としてのハードディスク、光ディスクなどの情報記録媒体は、その記憶容量が増大している。このために、これらの媒体を利用した記録再生装置を例えばテレビジョン受信機に接続し、所望の番組を記録媒体に自動録画する方法及び装置がある。
【０００３】
さらにデジタル放送（地上波デジタル放送、ＢＳ（Broadcast Satellite）放送、１１０度ＣＳ(Communication Satellite)放送など）が普及しデジタル放送番組を放送している。これに対応して、録画機器としては、デジタル状態の番組を録画できるようにデジタル化が進んでいる。デジタル化に伴って、デジタル情報の記録再生時の劣化が軽減され、高品位の再生映像・再生オーディオを視聴できるようになった。
【０００４】
一方では、著作権保護の観点から、コンテンツの録画、コピーの制限が強化されるようになった。そのためにデジタル放送番組には、コピー可能、１回だけコピー可能、コピー禁止などの著作権管理情報が含まれるようになった。このような管理情報を受けて、録画機器では、録画可能なコンテンツか、録画不可能なコンテンツかを区別する機器がある。また、１回だけコピー可能なコンテンツの場合は、このコンテンツを録画した後、別の機器に移動させる（相手機器に移動した部分は自分の機器に残さず消してしまう）機能、いわゆる移動機能を有する機器がある（例えば特許文献１、２参照）。
【特許文献１】特開２００１−１２５８３３公報
【特許文献２】特開２００４−１８５５３８公報
【発明の開示】
【発明が解決しようとする課題】
【０００５】
上記した録画機器は、必ずしもデジタル信号に対する管理動作が統一されているわけではない。機器によっては、コピー機能だけで、移動機能を有しないものもある。また移動機能、コピー機能などを実行させるコマンドも統一されていないのが現状である。そのために、複数の機器を接続可能なデジタルテレビジョン受信機において、上記した複数の録画機器間でのコンテンツのコピー及び移動を実現するのに、利用できる機器自体が非常に限定されており、制約を受けている。またユーザが機器自体を事前に確認しなければならず、使い勝手が悪い。特に複数の録画機器を接続できるようなシステムの場合は、そのつど個々の機器の性能をチェックすると不便である。
【０００６】
そこでこの発明は、複数の録画機器を接続可能なデジタルテレビジョン受信装置において、各録画機器の管理を行う場合、各機器が移動機能を備えているかどうかを自動的に管理できるようにした放送受信装置及び受信方法を提供することを目的とする。
【課題を解決するための手段】
【０００７】
この発明の一実施の形態では、動作を統括する制御部と、前記制御部の制御に基づいて、放送信号を受信する受信部と、前記受信部により受信された受信信号を復調及び信号処理することにより表示用信号に変換する復調及び信号処理部とを有し操作入力に応じて前記表示用信号を記録媒体に蓄積する放送受信装置において、複数の録画機器を接続する接続端子と、前記複数の録画機器の機能に、移動機能があるか否かをチックする機能チック部と、前記機能チェック部によりチェックされた結果を保存したテーブル部と、前記複数の録画機器のうちの第１の録画機器に記録されているコンテンツを選択し、第２の録画機器への移動を指定する移動指定手段と、前記移動が指定されたときに前記テーブル部の情報を参照し、前記第１の録画機器に移動機能があるか否かを判定し、移動機能がない場合には表示器に警告を出力する警告手段と、を有する。
【発明の効果】
【０００８】
上記の手段によると、予めテーブルを有するために、その都度、録画機器に問い合わせる必要がなく、また確実に移動処理を実行させることができる。
【発明を実施するための最良の形態】
【０００９】
以下、図面を参照しながらこの発明の実施の形態を説明する。まずこの発明が適用された放送受信装置について概要を説明する。
【００１０】
図１は、この実施の形態で説明するデジタルテレビジョン放送受信装置１１の外観と、このデジタルテレビジョン放送受信装置１１を中心として構成されるネットワークシステムの一例を概略的に示している。
【００１１】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１５】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１７】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２１】
上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２２】
ここでｉ．Link端子２４に接続された、ＡＶ−ＨＤＤ４１は、図面ではデジタルテレビジョン放送受信装置１１の外に記載されているが、実際には支持台１３に内蔵されている。つまりＡＶ−ＨＤＤ４１は、デジタルテレビジョン放送受信装置１１と一体となっている。
【００２３】
図２には、上記のデジタルテレビジョン受信装置１１の概観を示している。ＡＶ−ＨＤＤ４１は、支持台１３内に内蔵されている。
【００２４】
図３は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
チューナ４５で選局された放送信号は、ＰＳＫ（Phase Shift Keying）復調器４６に供給されて、デジタルの映像信号及び音声信号に復調された後、信号処理部４７に出力される。
【００２６】
また地上波アナログ信号を受信するアナログチューナ６８も設けられている。アナログチューナ６８で受信された信号は、アナログ復調器６９で復調され信号処理部４７に出力される。
【００２７】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３０】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３１】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３２】
上記音声処理部５３は、入力されたデジタルの音声信号を、スピーカ１５で再生可能なフォーマットのアナログ音声信号に変換し、スピーカ１５に出力して音声再生させる。
【００３３】
ここで、このデジタルテレビジョン放送受信装置１１は、上記した各種の受信動作を含むその全ての動作を制御部５６によって統括的に制御されている。
【００３４】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００３５】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３６】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３７】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３８】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３９】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４０】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４１】
上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．LinkＩ／Ｆ６７を介して情報伝送を行なうことができる。
【００４２】
制御部５６は、録画番組を予め予約して記録媒体に記録するための予約番組録画制御部５６ａと、機器管理部５６ｇを有する。機器管理部５６ｇは、後述するように、テレビジョン放送受信装置に多数接続される機器及びのその機能を管理している。機能管理の内容としては、後述するように移動機能チェック部も有する。また映像出力制御部５６ｈも含む。
【００４３】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。今すぐニュースキー１７ｐも設けられている。今すぐニュースキー１７ｐを押すと、グループ化して録画予約しているニュース番組の最新のものを視聴することができる。またちょっとタイムキー１７ｑ、スキップキー１７ｒも設けられている。このキーを押すと、例えばオンエアー放送中の番組視聴中に中座する場合、このキー１７ｑを押すと、一定時間の間は、その番組の録画を開始して一時保存を行うようになっている。そして、受信装置の場所にユーザが戻ってきたとき、ちょっとタイムキー１７ｑを再度押すと、中座したときのシーンからの映像を再生させることができる。いわゆる追っかけ再生を行う。これによりユーザは、視聴番組の内容を飛ばすことなく視聴できる。
【００４４】
図５は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図６に示すような番組表を映像表示器１４に表示させる。
【００４５】
ユーザは、ステップＳ３で、表示された番組表に基づいて所望の番組の録画予約を実行する。この録画予約では、記録すべき番組を番組表から選択するとともに、その番組を記録させるデジタル記録機器を選択設定することも行なわれる。
【００４６】
そして、制御部５６は、ステップＳ４で、録画予約した設定時間に達した場合、予約された番組を予約されたデジタル記録機器に記録するように、記録動作を実行する。
【００４７】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４８】
また、ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４９】
以上の記録動作により、ユーザは、デジタルテレビジョン放送受信装置１１の各端子２１〜２４に接続されている複数のデジタル記録機器を任意に選択して、番組を記録させていくことが可能になる。
【００５０】
図７は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００５１】
すると、制御部５６は、ステップＳ１１で、faceネット（ナビゲーション）を起動させ、図８に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図８では、「テレビ」が選択された状態をハッチングにより示している。
【００５２】
ここで、ユーザは、ステップＳ１２で、リモートコントローラ１７のカーソルキー１７ｆを操作して「録画番組」の項目を選択する。すると、制御部５６は、図９にハッチングで示すように、「録画番組」の項目を選択した状態となる。
【００５３】
この状態で、ユーザが、ステップＳ１３で、リモートコントローラ１７の決定キー１７ｇを操作すると、制御部５６は、図１０に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５４】
この最近録画した番組の一覧は、図５で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図１０では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５５】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５６】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５７】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５８】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５９】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００６０】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００６１】
図１１には、この発明の特徴的な部分を抽出して示している。特に制御部５６における機能を示している。
【００６２】
機器管理部５６ｇ内には、さらに、複数の録画機器の機能に、移動機能があるか否かをチックする機能チック部５６ｇ１と、機能チェック部５６ｇ１によりチェックされた結果を保存するテーブル部５６ｇ２を有する。さらに複数の録画機器のうちの第１の録画機器に記録されているコンテンツを選択し、第２の録画機器への移動を指定する移動指定制御部５６ｇ３、移動が指定されたときにテーブル部５６ｇ２の登録データを参照し、第１の録画機器に移動機能があるか否かを判定し、移動機能がない場合には警告を出力する警告処理部５６ｇ３を有する。さらにまた移動が指定されたときにテーブル部５６ｇ２の登録データを参照し、第１の録画機器に移動機能があるか否かを判定し、移動機能がある場合には移動を実行する移動実行制御部５６ｇ４を含む。
【００６３】
また、移動するコンテンツが著作権保護に係わるものであり、移動のみしかできないものであれば、移動先の第２の録画機器にも移動機能があるかどうかをチェックする。このような条件の元で、第２の録画機器に移動機能がない場合には、警告を出力し、第２の録画機器に移動機能が有る場合には、移動を実行する。
【００６４】
さらにまた、上記の機器管理部５６ｇは、コピー元の録画機器とコピーするコンテンツを指定するとともに、コピー先の録画機器を指定するコピー指定制御部５６ｇ５、コピー実行制御部５６ｇ６を有する。
【００６５】
図１２には、機能チェック部５６ｇ１が接続機器をチェックし、接続機器の機能をテーブル部５６ｇ２に登録するときの動作をフローで示している。例えばｉ．Ｌｉｎｋインターフェース６７を介して、ｉ．Ｌｉｎｋ端子に接続された機器をチェックする（ステップＳＡ１）。接続機器が存在した場合、その機器が新しいＩＤを有する機器であるかどうかをチェックする。新しい機器であれば、ｉ．Ｌｉｎｋを介して相互認証を行い、新しい機器が移動機能を有するかどうかをチェックする（ステップＳＡ２）。このチェック結果は、テーブル部５６ｇ２に機器情報として登録される（ステップＳＡ３，ＳＡ４）。テーブル部５６ｇ２の機器情報は、定期的に更新され、機器が取り離されていた場合は、その機器情報は削除される。
【００６６】
図１３は、第１の録画機器（例えば内蔵のＡＶ−ＨＤＤ４１）に蓄積されている番組を、第２の録画機器（例えばi.Link接続されたＨＤＤ４１ａ）に移動する場合の動作を示すフローチャートである。
【００６７】
まず、移動元の録画機器を選択するために機器一覧を画面に表示する（ステップＳＢ１）。機器一覧が画面に表示された状態で、移動元の録画機器をカーソル操作により選択する（ステップＳＢ２）。すると画面上には、当該録画機器（移動元の録画機器）に保存されている録画番組を示す録画リストが画面上に表示される（ステップＳＢ３）。この状態でユーザは、移動したい番組を選択し、クイックボタンを押す（ステップＳＢ４）。すると、制御部５６は、移動元の録画機器に移動機能が備わっているかどうかのチェックを行う。例えばテーブル部５６ｇ２の情報を参照して、上記のチェックを行う。また移動したい番組がコピー禁止されている場合もあるので、そのチェックを行う。
【００６８】
移動が可能である場合には、移動先の機器を選択するための機器一覧が表示される。移動先の録画機器がカーソルで指定され、決定ボタンが押されると、移動先の録画機器の記録媒体の未記録領域の残量が十分あるかどうかのチェックが行われる（ステップＳＢ８）。残量が十分であれば、移動処理が実行される（ステップＳＢ９）。そして移動処理が完了したら終了となる（ステップＳＢ１０）。上記のステップＳＢ５で移動機能が備わっていないことが判明した場合は、ステップＳＢ７で警告処理が行われる。またステップＳＢ８において、残量が不十分であることが判明した場合も警告処理が行われる。この場合は、ユーザは、再度、ステップＳＢ１からのやり直し操作を行う。
【００６９】
図１４−図２０は、上記の動作において、映像表示機器１４で表示される画面の例を示す説明図である。
【００７０】
機器一覧を表示させるためには、操作パネル１３３（図１４参照）を画面に表示した状態で、「機器選択」の項目１３４にカーソルを移動させて決定キーを押すことで実行される。操作パネル１３３は、再生ボタン或いは早送りボタンを押すと一時的に現れる。またメニューボタンを押して、移動或いはコピーなどの項目をカーソルで選択することによっても現れる。さらにまた機器一覧は、図１０に示される画面の状態で、さらに画面をスクロールさせても、機器一覧が現れるようになっている。図１４の画面はある番組の動画を表示中である。ここで「ライブラリ」という項目１３５を選択してクリックすると、現在アクセス中の録画機器の録画リストを表示することができる。
【００７１】
図１５は、テレビジョン受信装置１１に接続されている機器一覧１３６が表示された様子を示している。今、内蔵ＨＤＤ（録画機器４１）の項目１３７にカーソルがあわせられて、決定キーがおされたとする。すると、図１６に示すように内蔵ＨＤＤ（録画機器４１）において保存されている録画番組のリストが表示される。図１６では、次にユーザが録画リストの中から最初の項目にリストアップされている項目１３８を選択した様子を示している。
【００７２】
ここで、画面は、再度移動先の機器を選択できるように図１５のように切換わる。いまユーザが移動先の録画機器として、ｉ．Ｌｉｎｋ１として接続されたハードディスクドライブを選択したとする。すると、図１７に示すように、「コピー／移動」と命名された確認画面１３９が現れる。ユーザは、この画面をみることにより、移動或いはコピーするコンテンツのタイトル名１４１、およびコピー先或いは移動先の録画機器名１４２を確認することができる。また、この画面には、現在コピーが指示されているのか、移動が指示されているのかを示す動作モード表示１４３、１４４が得られるようになっている。コピーモードが指定されているときは動作モード表示１４３が明るく、動作モード表示１４４が暗く表示される。逆に移動モードが指定されているときは、動作モード表示１４３が暗く、動作モード表示１４４が明るく表示される。
【００７３】
現在コピーモードであるが、移動モードに切換えたい場合には、「移動」が表示されている動作モード表示１４４にカーソルを移動させて、決定キーを操作すればよい。ここで、仮に移動元の録画機器が移動機能を装備していない場合、カーソル移動を操作したとしても実質的にカーソルが移動しないように設計してもよい。そして警告が表示されるようにしてもよい。さらにまた、移動先の録画機器の残量などを表示してもよい。
【００７４】
図１８は、図１７において、コピーが選択されて、決定キーが押されたあと、コピー元の録画機器からコピー先の録画機器に番組のコピーが実行されているときの画面の例を示している。図１８の例では、コピー中であることをユーザが認識しやすいように、動作状態表示部１４５が現れている。この動作状態表示部１４５では、コピー状態を意味するマークと、コピーしたデータ量を時間（２ｈ２１ｍ２６ｓ）で示している。またコピー中のコンテンツの全体のデータ量を時間（３時間３２分５４秒）で示している。
【００７５】
図１９は、コピー中の画面の他の例を示す図である。この画面でも、動作状態表示部１４６が現れている。この例では、コピー状態であることを示すマークと、コピーしたパーセンテージ（画面では９９％）が表示されている。
【００７６】
図２０は、さらにまたコピー中の画面の他の例を示す図である。この画面では、動作状態表示部１４７に、コピー状態であることを示すマークと、コピーの進捗状況が表示されている。この例では、ハードディスクからテープにコピーが行われていることがわかる。
【００７７】
上記の実施の形態では、デジタルテレジョン受信装置１１に接続されている接続機器は、受信装置本体とコミュニケーションが可能であることを前提として説明した。しかし、機種によって、相互通信用のコマンド内容が異なる場合もある。そこで、このシステムでは、図１１に示すようにコマンド管理部５６ｇ１１を設けてもよい。このコマンド管理部５６ｇ１１は、例えばインターネットなどを介して、外部から接続機器との通信を行うに必要なコマンドを取り込み、格納することができる。また、コマンドの拡張が有った場合、バージョンアップを行うことも可能である。制御部５６は、外部接続機器を検索する場合、コマンド管理部５６ｇ１１内の情報を利用して、外部機器の応答あるいは返信を確認することができる。外部機器の種類が特定された場合は、当該外部機器に適用されるコマンドを用いて、制御部５６は、相互通信を行うことができる。
【００７８】
上記の説明では、内蔵の録画機器（ＡＶ−ＨＤＤ４１）で保存されているコンテンツを外部の録画機器（ＨＤＤ４１ａ）に移動又はコピーする例として説明したが、これは一例である。本発明が対象とする移動元（あるいはコピー元）の録画機器と移動先（あるいはコピー先）の録画機器は任意であって、特定のものに限定されない。
【００７９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８０】
【図１】この発明が適用されたデジタルテレビジョン放送受信システムの概要を説明するために示した図である。
【図２】図１のデジタルテレビジョン放送受信装置の概観を示す図である。
【図３】図１のデジタルテレビジョン放送受信装置の内部をさらに具体的に示す構成説明図である。
【図４】この発明の装置で使用されるリモートコントローラの概略を説明するために示した説明図である。
【図５】図１の装置がＥＰＧ情報に基づいて番組を記録する際の動作を説明するために示したフローチャートである。
【図６】図１の装置において映像表示器に番組情報が表示された際の例を示す説明図である。
【図７】複数のデジタル記録機器に記録された種々の番組の中から、所望の番組を迅速に検索して再生する動作を説明するためのフローチャートである。
【図８】この発明の装置においてナビゲーションメニューを映像表示器に表示させた場合の例を示す説明図である。
【図９】図８のナビゲーションメニューの続きを示す説明図である。
【図１０】図９のナビゲーションメニューの続きを示す説明図である。
【図１１】本発明に係る制御部５６の内部をさらに詳しく示す説明図である。
【図１２】本発明に係る装置の動作例を示すフローチャートである。
【図１３】本発明に係る装置の他の動作例を示すフローチャートである。
【図１４】この発明に係る装置において操作パネルを表示した際の画面の例を示す説明図である。
【図１５】この発明に係る装置において機器一覧のリストを表示した際の画面の例を示す説明図である。
【図１６】この発明に係る装置において録画リストを表示した際の画面の例を示す説明図である。
【図１７】この発明に係る装置においてコピー或いは移動を設定する際の画面の例を示す説明図である。
【図１８】この発明に係る装置においてコピー或いは移動が行われている際の画面の例を示す説明図である。
【図１９】この発明に係る装置においてコピー或いは移動が行われている際の他の画面の例を示す説明図である。
【図２０】この発明に係る装置においてコピー或いは移動が行われている際のさらに他の画面の例を示す説明図である。
【符号の説明】
【００８１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ。
【図１】
2006311313.tif 000003
【図２】
2006311313.tif 000004
【図３】
2006311313.tif 000005
【図４】
2006311313.tif 000006
【図５】
2006311313.tif 000007
【図６】
2006311313.tif 000008
【図７】
2006311313.tif 000009
【図８】
2006311313.tif 000010
【図９】
2006311313.tif 000011
【図１０】
2006311313.tif 000012
【図１１】
2006311313.tif 000013
【図１２】
2006311313.tif 000014
【図１３】
2006311313.tif 000015
【図１４】
2006311313.tif 000016
【図１５】
2006311313.tif 000017
【図１６】
2006311313.tif 000018
【図１７】
2006311313.tif 000019
【図１８】
2006311313.tif 000020
【図１９】
2006311313.tif 000021
【図２０】
2006311313.tif 000022